(57)【要約】      （修正有）【課題】ユーザが入眠し易い温度になるように制御する寝具及び通信システムを提供する。【解決手段】寝具１は、温度を調整可能な調整部１０と、制御部１４とを備える。制御部１４は、表面の少なくとも一部の温度が、ユーザが入眠し易い温度になるように、調整部１０を制御するとともに、一部の温度が入眠し易い温度よりも高いとき、調整部１０によって一部を冷却し、一部の温度が入眠し易い温度よりも低いとき、調整部１０によって一部を加熱する、【選択図】図３
2019051066.tif 000002
【特許請求の範囲】
【請求項１】
温度を調整可能な調整部と、
表面の少なくとも一部の温度が、ユーザが入眠し易い温度になるように、前記調整部を制御する制御部と、
を備える寝具。
【請求項２】
前記制御部は、前記一部の温度が前記入眠し易い温度よりも高いとき、前記調整部によって前記一部を冷却し、
前記制御部は、前記一部の温度が前記入眠し易い温度よりも低いとき、前記調整部によって前記一部を加熱する、請求項１に記載の寝具。
【請求項３】
前記制御部は、前記ユーザが頭部を前記寝具に載せてから入眠するまでの時間に基づいて、前記入眠し易い温度を決定する、請求項１又は２に記載の寝具。
【請求項４】
前記制御部は、前記時間が極小値をとるときの前記一部の温度を、前記入眠し易い温度として決定する、請求項３に記載の寝具。
【請求項５】
前記制御部は、周囲温度に応じて、前記入眠し易い温度を決定する、請求項３又は４に記載の寝具。
【請求項６】
前記制御部は、定期的に、前記入眠し易い温度の決定処理を実行する、請求項３から５の何れか一項に記載の寝具。
【請求項７】
外部の機器と通信する通信部をさらに備え、
前記制御部は、前記ユーザの識別情報とともに決定した前記入眠し易い温度を、前記通信部によって所定のサーバに送信する、請求項３から６の何れか一項に記載の寝具。
【請求項８】
前記寝具の動きを検出する検出部をさらに備え、
前記制御部は、前記検出部の検出結果に基づいて、前記ユーザの頭部が前記寝具に載せられたと判定したとき、前記調整部を制御する、請求項１から７の何れか一項に記載の寝具。
【請求項９】
前記制御部は、前記検出部の検出結果に基づいて前記ユーザが入眠したと判定した時刻から、前記頭部が前記寝具に載せられたと判定した時刻を減算することで、前記時間を算出する、請求項８に記載の寝具。
【請求項１０】
請求項１に記載の寝具と、
前記寝具とネットワークを介して接続され、前記ユーザの識別情報とともに前記寝具が決定した前記入眠し易い温度を受信し、受信した前記識別情報と対応付けて受信した前記入眠し易い温度を格納するサーバと、
を備える通信システム。
【発明の詳細な説明】
【技術分野】
【０００１】
本開示は、寝具及び通信システムに関する。
【背景技術】
【０００２】
従来、ユーザの頭部を冷却することによって、入眠を促す枕が知られている。例えば、特許文献１には、ユーザの頭部をペルチェ素子で冷却することによって、入眠を促す枕が開示されている。
【先行技術文献】
【特許文献】
【０００３】
【特許文献１】特開２００５−１２４６０９号公報
【発明の概要】
【発明が解決しようとする課題】
【０００４】
しかしながら、従来の枕には、改善の余地がある。例えば、ユーザが入眠し易い頭部の温度は、ユーザによって異なる場合がある。
【０００５】
本開示の目的は、改善された寝具及び通信システムを提供することにある。
【課題を解決するための手段】
【０００６】
寝具の一態様は、温度を調整可能な調整部と、制御部とを備える。前記制御部は、表面の少なくとも一部の温度が、ユーザが入眠し易い温度になるように、前記調整部を制御する。
【０００７】
通信システムの一態様は、上記寝具と、サーバとを備える。前記サーバは、前記寝具とネットワークを介して接続され、前記ユーザの識別情報とともに前記寝具が決定した前記入眠し易い温度を受信し、受信した前記識別情報と対応付けて受信した前記入眠し易い温度を格納する。
【発明の効果】
【０００８】
本開示によれば、改善された寝具及び通信システムを提供することができる。
【図面の簡単な説明】
【０００９】
【図１】第１実施形態に係る枕の概略的な外観図である。
【図２】図１に示すＩ−Ｉ線に沿った枕の断面図である。
【図３】第１実施形態に係る枕の機能ブロック図である。
【図４】入眠時間と載置面の温度との関係を示す図である。
【図５】第１実施形態に係る枕の最適温度の決定処理の一例を示すフローチャートである。
【図６】第１実施形態に係る枕の睡眠導入処理の一例を示すフローチャートである。
【図７】第１実施形態に係る枕の温度制御の一例を示すフローチャートである。
【図８】第２実施形態に係る通信システムの概略図である。
【図９】第２実施形態に係る通信システムの制御手順の一例を示すシーケンス図である。
【発明を実施するための形態】
【００１０】
以下、本開示に係る寝具の実施形態について、図面を参照して説明する。本明細書では、寝具は、枕であるとして説明する。しかしながら、本開示の寝具は、枕に限定されない。本開示の寝具は、ユーザの睡眠時にユーザの頭部を支持するものであればよく、例えば、クッション、ネックピロー又は座布団等であってもよい。
【００１１】
（第１実施形態）
図１は、第１実施形態に係る枕１の概略的な外観図である。図２は、図１に示すＩ−Ｉ線に沿った枕１の断面図である。なお、本明細書に記載の枕１について、上側は、図２の断面図の上側を意味し、下側は、その反対側を意味する。また、本明細書に記載の枕１について、頭頂側は、図２の断面図の左側を意味し、首側は、図２の断面図の右側を意味する。
【００１２】
ユーザは、枕１に頭部を載せて寝ることができる。枕１は、例えばユーザの睡眠時、ユーザの頭部を支持する。図１に示す載置面Ａは、ユーザが頭部を載せる面である。載置面Ａは、例えば、枕１の上側の一部の領域である。枕１は、ユーザの頭部が枕１に載せられたと判定すると、枕１の表面の少なくとも一部の温度がユーザの入眠し易い温度になるように、制御する。以下、枕１は、枕１の表面の少なくとも一部の温度として載置面Ａの温度が、ユーザが入眠し易い温度になるように制御する。ただし、枕１は、載置面Ａではない表面部分の温度がユーザの入眠し易い温度になるように、制御してもよい。例えば、枕１は、表面部分の全体の温度が、ユーザの入眠し易い温度になるように制御してもよい。ここで、ユーザが入眠し易い温度とは、ユーザが眠り易い温度のことをいう。一般的に、人は眠る際に頭部の体温が低下する。そのため、例えば、このユーザが入眠し易い温度の一例として、眠る前の体温よりも低い温度でもよい。例えば、このユーザが入眠し易い温度の一例として、体温と比較して１℃より低い温度であったり、体温と比較して１℃以上低い温度であったりしてもよい。
【００１３】
枕１は、例えば、図１に示すように、２つの楕円形の底面を有する円柱形状であってよい。ただし、枕１の形状は、円柱形状に限定されない。例えば、枕１の形状は、長方形状、Ｕ字形状又はドーナツ形状等であってもよい。
【００１４】
枕１は、図２に示すように、調整部１０と、検出部１１と、制御ユニット２０と、エアバッグ３０とを備える。調整部１０、検出部１１、制御ユニット２０及びエアバッグ３０は、外装部１５で覆われる。枕１が備えるエアバッグの数は、エアバッグ３０の１つに限定されない。枕１が備えるエアバッグの数は、２つ以上であってもよい。
【００１５】
調整部１０は、図２に示すように、載置面Ａに沿って、外装部１５内に配置される。調整部１０は、制御ユニット２０からの電気信号に基づいて、発熱又は冷却する。調整部１０が発熱又は冷却することにより、載置面Ａが加熱又は冷却される。つまり、調整部１０によって載置面Ａの温度は、調整され得る。なお、調整部１０は、載置面Ａの全面に沿って配置されてもよい。又は、調整部１０は、載置面Ａの一部（例えば、載置面の頭頂側の一部）に沿って配置されてもよい。
【００１６】
調整部１０は、例えば、ペルチェ素子を含んで構成されてよい。ペルチェ素子は、直流電流を流すことで、発熱又は冷却する半導体素子である。
【００１７】
検出部１１は、例えば、外装部１５内に配置される。検出部１１は、載置面Ａに接するように配置されてもよいし、又は、載置面Ａの近くに配置されてもよい。検出部１１は、例えば、温度センサ及びモーションセンサを含んで構成される。モーションセンサは、例えば、加速度センサ及びジャイロセンサ等を組み合わせて構成される。
【００１８】
検出部１１は、温度センサによって、載置面Ａの温度を検出する。検出部１１は、検出した載置面Ａの温度を、後述の制御部１４に出力する。また、検出部１１は、モーションセンサによって枕１の動きを検出する。検出部１１は、検出した枕１の動きを、後述の制御部１４に出力する。
【００１９】
検出部１１は、重量センサを含んで構成されてもよい。この場合、検出部１１は、重量センサによって載置面Ａにかかる重量を検出する。検出部１１は、検出した重量を、後述の制御部１４に出力する。
【００２０】
検出部１１は、近接センサを含んで構成されてもよい。この場合、検出部１１は、近接センサによって、載置面Ａに近接する物体の存在を非接触で検出する。検出部１１は、検出した載置面Ａに近接する物体の存在を、後述の制御部１４に通知する。
【００２１】
制御ユニット２０は、例えば、枕１の下面に配置される。ただし、制御ユニット２０は、枕１の任意の箇所に配置されてよい。例えば、制御ユニット２０は、枕１の外部に配置されてもよい。制御ユニット２０は、後述の制御部１４等を含む。
【００２２】
制御ユニット２０は、検出部１１の検出結果に基づいて、ユーザが枕１に頭部を載せたか否か判定する。制御ユニット２０による、この判定方法の詳細については後述する。制御ユニット２０は、ユーザが枕１に頭部を載せたと判定すると、載置面Ａの温度がユーザの入眠し易い温度になるように、調整部１０を制御する。制御ユニット２０の詳細な構成については後述する。
【００２３】
枕１の内部は、エアバッグ３０によって充填される。エアバッグ３０は、例えば、可撓性及び気密性を有する材料で構成される。エアバッグ３０は、例えば、合成樹脂材料で構成されてよい。エアバッグ３０は、その内部に空気が注入されることによって、膨張して所定の形状になる。
【００２４】
なお、枕１の内部は、エアバッグ３０の代わりに、他の部材によって充填されてもよい。例えば、枕１の内部は、コイル部材、パイプ、綿又は発泡ビーズ等によって充填されてもよい。
【００２５】
次に、枕１の機能の詳細について説明する。図３は、第１実施形態に係る枕１の機能ブロック図である。
【００２６】
枕１は、調整部１０と、検出部１１とを備える。枕１は、さらに、制御ユニット２０として、通信部１２と、記憶部１３と、制御部１４とを備える。
【００２７】
調整部１０は、制御部１４からの電気信号に基づいて、発熱又は冷却する。調整部１０が発熱又は冷却することにより、載置面Ａが加熱又は冷却される。調整部１０によって載置面Ａの温度は、適宜、調整され得る。
【００２８】
検出部１１は、例えばモーションセンサにより、枕１の動きを検出する。検出部１１は、検出した枕の動きを、制御部１４に出力する。また、検出部１１は、例えば温度センサにより、載置面Ａの温度を検出する。検出部１１は、検出した載置面Ａの温度を、制御部１４に出力する。
【００２９】
通信部１２は、ネットワークを介して、外部の機器に接続される。通信部１２は、例えばBluetooth（登録商標）、赤外線、ＮＦＣ（Near Field Communication）、無線ＬＡＮ（Local Area Network）、有線ＬＡＮ、ＷＡＮ（Wide Area Network）、インターネット若しくはその他任意の通信媒体又はこれらの任意の組合せにより、通信することができる。
【００３０】
記憶部１３は、半導体メモリ又は磁気メモリ等で構成されてよい。記憶部１３は、各種情報及び制御部１４を動作させるためのプログラム等を記憶する。記憶部１３は、ワークメモリとしても機能してもよい。記憶部１３は、例えば、後述の処理によって決定されたユーザが入眠し易い温度、及び、ユーザの識別情報を記憶する。
【００３１】
制御部１４は、種々の機能を実行するための制御及び処理能力を提供するために、少なくとも１つのプロセッサ１４Ａを含む。少なくとも１つのプロセッサ１４Ａは、単一の集積回路（ＩＣ）として、又は、複数の通信可能に接続された集積回路ＩＣ及びディスクリート回路（discrete circuits）として実現されてもよい。少なくとも１つのプロセッサ１４Ａは、種々の既知の技術に従って実現されることが可能である。
【００３２】
ある実施形態において、プロセッサ１４Ａは、一以上のデータ計算手続及び処理を実行するために構成された、一以上の回路又はユニットを含む。例えば、プロセッサ１４Ａは、一以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ又はこれらの組み合わせ若しくは構成の任意の組み合わせ、又は、他の既知のデバイス若しくは構成の組み合わせを含むことにより、以下に説明する機能を実行してもよい。
【００３３】
制御部１４は、調整部１０と、検出部１１と、通信部１２と、記憶部１３とに接続され、これらの各機能部をはじめとして、枕１の全体を制御及び管理する。制御部１４は、記憶部１３に記憶されているプログラムを取得する。制御部１４は、取得したプログラムを実行することにより、枕１の各部に係る種々の機能を実現する。
【００３４】
制御部１４は、検出部１１の出力結果（検出結果）に基づいて、ユーザの頭部が枕１に載せられたか否か判定する。具体的には、例えば検出部１１がモーションセンサを含んで構成される場合、制御部１４は、検出部１１のモーションセンサが枕１の動きを検出したとき、ユーザの頭部が枕１に載せられたと判定する。例えば検出部１１が重量センサを含んで構成される場合、制御部１４は、重量センサが検出した重量が所定量を超えるとき、ユーザの頭部が枕１に載せられたと判定してもよい。例えば検出部１１が近接センサを含んで構成される場合、制御部１４は、近接センサが載置面Ａに近接する物体の存在を検出したとき、ユーザの頭部が枕１に載せられたと判定してもよい。例えば検出部１１が温度センサを含んで構成される場合、制御部１４は、温度センサが検出した温度が所定の閾値を超えたとき、ユーザの頭部が枕１に載せられたと判定してもよい。所定の閾値は、例えば、人体（頭部）が枕１に接触していることを検出可能な温度であってよい。
【００３５】
制御部１４は、ユーザの頭部が枕１に載せられたと判定すると、載置面Ａの温度が、ユーザが入眠し易い温度（以下、「最適温度」という）になるように、調整部１０を制御する。具体的には、制御部１４は、検出部１１によって載置面Ａの温度を測定する。制御部１４は、測定した載置面Ａの温度が最適温度よりも高いとき、調整部１０に電気信号を出力し、調整部１０を冷却させることによって載置面Ａを冷却する。このような処理によって、例えばユーザの頭部の温度が高い場合、載置面Ａを介してユーザの頭部の温度が最適温度に近づくように冷却される。一方、制御部１４は、測定した載置面Ａの温度が最適温度よりも低いとき、調整部１０に電気信号を出力し、調整部１０を発熱させることによって載置面Ａを加熱する。このような処理によって、例えば枕１が冷えている場合等に、載置面Ａを介してユーザの頭部の温度が最適温度に近づくように加熱される。この後、制御部１４は、載置面Ａの温度が最適温度を維持するように、調整部１０を制御する。
【００３６】
制御部１４は、載置面Ａの温度を最適温度に維持させつつ、ユーザが入眠したか否か判定する。具体的には、制御部１４は、例えば所定時間以上、検出部１１のモーションセンサが枕１の動きを検出しないとき、ユーザが入眠したと判定する。この所定時間としては、１分、５分、１０分、３０分、１時間等その他適宜な時間であってもよい。
【００３７】
制御部１４は、ユーザが入眠したと判定すると、調整部１０による載置面Ａの温度制御を停止させる。制御部１４は、ユーザが入眠したと判定した後、直ぐに載置面Ａの温度制御を停止させてもよいし、所定期間経過してから載置面Ａの温度制御を停止させてもよい。所定期間は、ユーザの睡眠時間を想定して設定されてもよい。この場合、所定期間は、例えば、７時間程度であってよい。又は、所定期間は、最初のノンレム睡眠の時間を想定して設定されてもよい。この場合、所定期間は、例えば、最初のノンレム睡眠が開始される直前までの時間であってもよいし、最初のノンレム睡眠が終了するまでの時間であってもよい。
【００３８】
なお、制御部１４は、ユーザが起床したと判定するまで、調整部１０による載置面Ａの温度制御を停止させなくてもよい。つまり、制御部１４は、ユーザが寝ている間、載置面Ａの温度が最適温度を維持するように、調整部１０を制御してもよい。例えば検出部１１が重量センサを含んで構成される場合、制御部１４は、重量センサによって載置面Ａにかかる重量が検出されないとき、ユーザが起床したと判定する。
【００３９】
ここで、制御部１４は、ユーザに応じて、最適温度を決定することができる。具体的には、制御部は、ユーザが頭部を枕１に載せてから入眠するまでの時間（以下、「入眠時間」という）に基づいて、載置面Ａの最適温度を決定する。以下、入眠時間に基づく最適温度の決定処理について説明する。なお、制御部１４は、ユーザが枕１に頭を載せてから、所定時間、検出部１１のモーションセンサによって頭の動き（枕１の動き）を検出しなかったとき、ユーザが入眠したと判定してもよい。この所定時間としては、１分、５分、１０分、３０分、１時間等その他適宜な時間であってもよい。
【００４０】
図４は、入眠時間と載置面Ａの温度との関係の一例を示す図である。図４において、横軸は載置面Ａの温度を示し、縦軸はユーザの入眠時間を示す。
【００４１】
図４に実線で示すように、入眠時間は、所定の温度において極小値を有する。図４では、載置面Ａの温度がＸｂ［℃］であるとき、入眠時間は、極小値のＴｍ［ｍｉｎ］になる。ユーザが頭部を枕１に載せたとき、載置面Ａの温度を、入眠時間が極小値をとるときの温度にすれば、ユーザは、最も入眠し易い状態になり得る。そこで、制御部１４は、ユーザの入眠時間が極小値をとるときの載置面Ａの温度を、最適温度として決定する。図４では、制御部１４は、Ｘｂ［℃］を、最適温度として決定する。
【００４２】
ここで、図４に示すような入眠時間と載置面Ａの温度との関係は、ユーザに応じて異なる場合がある。つまり、入眠時間が極小値をとるときの載置面Ａの温度は、ユーザに応じて異なる場合がある。
【００４３】
最適温度の決定方法について、さらに説明する。制御部１４は、所定日数の間、所定のアルゴリズムによって載置面Ａの温度を日ごとに変化させながら、各日ごとのユーザの入眠時間を測定する。制御部１４は、測定した入眠時間が極小値をとるときの載置面Ａの温度を、最適温度として決定する。なお、制御部１４は、ユーザが入眠したと判定した時刻から、ユーザの頭部が枕１に載せられたと判定した時刻を減算することで、入眠時間を算出（測定）することができる。
【００４４】
上記の所定のアルゴリズムとして、制御部１４は、例えば、山登り法等の局所探索法を実行してもよい。局所探索法を実行する場合、制御部１４は、載置面Ａの温度を日ごとに変化させる際の温度の初期値として、ユーザの平均体温よりも数度低い温度を用いてもよい。
【００４５】
制御部１４は、入眠時間が極小値付近の値をとるときの載置面Ａの温度を、最適温度として決定してもよい。つまり、入眠時間に基づいて決定される載置面Ａの最適温度は、入眠時間が極小値付近の値をとるときの載置面Ａの温度を含んでもよい。図４では、極小値付近の範囲を、Δで示している。つまり、制御部１４は、範囲Δ内の温度を、最適温度として決定してもよい。極小値付近のΔの範囲は、例えばユーザの入眠時間等に応じて定められてよい。
【００４６】
なお、同一ユーザであっても、周囲温度に依存して、図４に示すような、入眠時間と載置面Ａの温度との関係が変化する場合ある。例えば、同一ユーザであっても、夏場のように温度が比較的高くなる場合と、冬場のように温度が比較的低くなる場合とで、入眠時間が極小値をとるときの載置面Ａの温度が異なる場合がある。
【００４７】
そこで、制御部１４は、周囲温度ごとに、載置面Ａの最適温度を決定してもよい。例えば、制御部１４は、周囲温度が所定値よりも高い範囲にある場合と、周囲温度が所定値よりも低い範囲にある場合とに分けて、載置面Ａの最適温度を決定してもよい。周囲温度は、調整部１０を稼働させてないときに検出部１１の温度センサによって取得された室内の温度であってもよい。又は、周囲温度は、例えば、枕１が検出部１１の温度センサとは異なる温度センサを備える場合、当該温度センサによって取得された室内の温度であってよい。また、所定値は、例えば、２７℃であってよい。所定値は、例えば枕１の使用環境（例えば室内の平均温度）等に応じて、適宜、制御部１４により定められてもよい。例えば、制御部１４は、所定の温度間隔ごとに（例えば５℃ごとに）、載置面Ａの最適温度を決定してもよい。
【００４８】
また、制御部１４は、定期的に、載置面Ａの最適温度の決定処理を実行してよい。例えば、制御部１４は、数か月毎に、載置面Ａの最適温度の決定処理を実行してもよい。
【００４９】
また、制御部１４は、例えば通信部１２によって外部から、載置面Ａの最適温度の決定処理の実行指示を受信した場合、載置面Ａの最適温度を決定してもよい。
【００５０】
また、制御部１４は、載置面Ａの最適温度を決定した後、ユーザの識別情報とともに、決定した最適温度を、通信部１２によって所定のサーバに送信してもよい。この処理の詳細は、後述する。
【００５１】
図５は、本開示の第１実施形態に係る枕１の最適温度の決定処理の一例を示すフローチャートである。図５に示すフローは、例えばユーザの最適温度が決定されていない場合に開始されてよい。図５に示すフローは、例えば、定期的に、繰り返し実行されることにより、最適温度が適宜更新されてもよい。
【００５２】
制御部１４は、ユーザの頭部が枕１に載せられたか否か判定する（ステップＳ１０）。制御部１４は、ユーザの頭部が枕１に載せられたと判定したとき（ステップＳ１０：Ｙｅｓ）、ステップＳ１１の処理に進む。一方、制御部１４は、ユーザの頭部が枕１に載せられたと判定しないとき（ステップＳ１０：Ｎｏ）、再びステップＳ１０の処理を行う。
【００５３】
ステップＳ１１の処理では、制御部１４は、載置面Ａの温度が所定温度になるように、調整部１０を制御する。所定温度は、例えば、所定のアルゴリズムによって決定された温度であってよく、日ごとに異なる温度であってよい。ステップＳ１１の処理の詳細は、図７を参照して後述する。
【００５４】
ステップＳ１２の処理では、制御部１４は、ユーザが入眠したか否か判定する。制御部１４は、ユーザが入眠したと判定したとき（ステップＳ１２：Ｙｅｓ）、ステップＳ１３の処理に進む。一方、制御部１４は、ユーザが入眠したと判定しないとき（ステップＳ１２：Ｎｏ）、再びステップＳ１２の処理を行う。
【００５５】
ステップＳ１３の処理では、制御部１４は、調整部１０による載置面Ａの温度制御を停止する。
【００５６】
ステップＳ１４の処理では、制御部１４は、入眠時間を測定する。例えば、制御部１４は、ステップＳ１２の処理でユーザが入眠したと判定した時刻から、ステップＳ１０の処理でユーザの頭部が枕１に載せられたと判定した時刻を減算することで、入眠時間を算出（測定）する。
【００５７】
ステップＳ１５の処理では、制御部１４は、図５に示すフロー処理を開始してから、所定日数が経過したか否か判定する。制御部１４は、所定日数が経過したと判定したとき（ステップＳ１５：Ｙｅｓ）、ステップＳ１６の処理に進む。一方、制御部１４は、所定日数が経過したと判定しないとき（ステップＳ１５：Ｎｏ）、ステップＳ１０からの処理を繰り返し行う。この場合、制御部１４は、ユーザの頭部が枕１から離れたと判定した後に、再びステップＳ１０からの処理を開始する。つまり、制御部１４は、ユーザが一旦覚醒して起き上がった後、再び枕１を用いて睡眠を行うときにステップＳ１０からの処理を開始することができる。
【００５８】
ステップＳ１６の処理では、制御部１４は、所定日数の間、所定のアルゴリズムによって載置面Ａの温度を変化させながら測定した入眠時間に基づいて、最適温度を決定する。
【００５９】
なお、制御部１４は、ユーザが入眠したと判定したとき（ステップＳ１２：Ｙｅｓ）に、直ぐにステップＳ１３の処理を実行せずに、例えばユーザが起床したと判定したとき、ステップＳ１３の処理を実行してもよい。
【００６０】
また、制御部１４は、最適温度を決定するために必要な量のデータを取得した場合、所定日数が経過する前であっても、ステップＳ１６の処理に進んでもよい。
【００６１】
また、周囲温度ごとに最適温度を決定する場合、制御部１４は、周囲温度を取得し、取得した周囲温度ごとに、図５に示すフローを実行してもよい。
【００６２】
図６は、第１実施形態に係る枕の睡眠誘導処理の一例を示すフローチャートである。
図６に示すフローは、例えば図５に示すフローにより、最適温度が決定された場合に実行される。図６に示すフローは、例えば、所定時刻に開始されてよい。所定時刻は、ユーザが床に就く時刻に基づいて設定されてよい。
【００６３】
制御部１４は、ユーザの頭部が枕１に載せられたか否か判定する（ステップＳ２０）。制御部１４は、ユーザの頭部が枕１に載せられたと判定したとき（ステップＳ２０：Ｙｅｓ）、ステップＳ２１の処理に進む。一方、制御部１４は、ユーザの頭部が枕１に載せられたと判定しないとき（ステップＳ２０：Ｎｏ）、再びステップＳ２０の処理を行う。
【００６４】
ステップＳ２１の処理では、制御部１４は載置面Ａの温度が最適温度になるように、調整部１０を制御する。ステップＳ２１の処理の詳細は、図７を参照して後述する。
【００６５】
ステップＳ２２の処理では、制御部１４は、ユーザが入眠したか否か判定する。制御部１４は、ユーザが入眠したと判定したとき（ステップＳ２２：Ｙｅｓ）、ステップＳ２３の処理に進む。一方、制御部１４は、ユーザが入眠したと判定しないとき（ステップＳ２２：Ｎｏ）、再びステップＳ２２の処理を行う。
【００６６】
ステップＳ２３の処理では、制御部１４は、調整部１０による載置面Ａの温度制御を停止させる。
【００６７】
なお、制御部１４は、ステップＳ２３の処理を実行するにあたり、ユーザが起床したか否か判定してもよい。制御部１４は、ユーザが起床したと判定したとき、ステップＳ２３の処理を実行してもよい。
【００６８】
また、周囲温度ごとに最適温度を決定した場合、制御部１４は、ステップＳ２１の処理以前に、周囲温度を取得してもよい。さらに、制御部１４は、ステップＳ２１の処理において、載置面Ａの温度を、取得した周囲温度に対応する最適温度に維持してもよい。
【００６９】
図７は、第１実施形態に係る枕１の温度制御の一例を示すフローチャートである。図７に示すフローは、図５に示すステップＳ１１の処理を実行する場合又は図６に示すステップＳ２１の処理を実行する場合に実行される。
【００７０】
制御部１４は、検出部１１の温度センサによって、載置面Ａの温度を測定する（ステップＳ３１）。
【００７１】
制御部１４は、測定した載置面Ａの温度が設定温度よりも高いか否か判定する（ステップＳ３２）。図５に示すステップＳ１１の処理においてステップＳ３２の処理を実行する場合、設定温度は、例えば、所定のアルゴリズムによって決定される所定温度となる。また、図６に示すステップＳ２１の処理においてステップＳ３２の処理を実行する場合、設定温度は、最適温度となる。
【００７２】
制御部１４は、測定した載置面Ａの温度が設定温度よりも高いと判定したとき（ステップＳ３２：Ｙｅｓ）、ステップＳ３３の処理に進む。一方、制御部１４は、測定した載置面Ａの温度が設定温度よりも低いと判定したとき（ステップＳ３２：Ｎｏ）、ステップＳ３４の処理に進む。
【００７３】
ステップＳ３３の処理では、制御部１４は、調整部１０によって載置面Ａを冷却する。ステップＳ３４の処理では、制御部１４は、調整部１０によって載置面Ａを加熱する。
【００７４】
ここで、比較例として、載置面Ａの温度を固定の温度に維持する例を想定する。上述のように、入眠時間と載置面Ａの温度の関係は、ユーザに応じて異なることが多い。そのため、載置面Ａの温度を固定の温度に維持しても、必ずしもユーザの入眠が促されるとはかぎらない。また、載置面Ａの温度を固定の温度に維持すると、一部のユーザの入眠を促すことができても、その他のユーザの入眠を促すことが困難になる場合がある。
【００７５】
これに対して、本実施形態に係る枕１は、ユーザの入眠時間に基づいて載置面Ａの最適温度を決定する。このような制御によって、枕１は、載置面Ａの温度を、ユーザに応じた最適温度に維持することがでる。これにより、本実施形態に係る枕１は、ユーザの入眠をより促すことができる。従って、本実施形態によれば、改善された、枕１が提供され得る。
【００７６】
また、同一のユーザであっても、周囲温度に依存して、入眠時間と最適温度の関係が変化する場合がある。このような場合であっても、本実施形態に係る枕１は、周囲温度に応じて、載置面Ａの最適温度を決定することができる。これにより、本実施形態に係る枕１は、ユーザの入眠時間と載置面Ａの温度との関係が変化しても、ユーザの入眠を促すことができる。
【００７７】
（第２実施形態）
次に、第２実施形態について説明する。第２実施形態では、第１実施形態に係る枕１を用いた通信システムについて説明する。図８は、第２実施形態に係る通信システム１００の概略図である。
【００７８】
通信システム１００は、枕１と、枕１Ａと、サーバ２とを備える。枕１及び枕１Ａと、サーバ２とは、ネットワーク２００を介して互いに通信可能に接続される。ネットワーク２００は、例えば、インターネットである。ただし、ネットワーク２００は、インターネットに限定されず、適宜のネットワークであってよい。また、ネットワーク２００は、無線、有線又はこれらの組み合わせであってよい。つまり、枕１及び枕１Ａと、サーバ２とは、有線若しくは無線又はこれらの任意の組合せにより構成されたネットワーク２００により接続され情報の送受信が行われてよい。また、本実施形態において、サーバ２及びネットワーク２００は１つに限定されるものではなく、それぞれ２つ以上であってよい。また、通信システム１００が備える枕の数は、枕１及び枕１Ａの２つに限定されるものではなく、３つ以上であってよい。
【００７９】
枕１は、第１実施形態にて説明した機能を有する。すなわち、枕１は、ユーザの入眠時間に基づいて、枕１のユーザに応じた、載置面Ａの最適温度を決定することができる。
【００８０】
以下、枕１は、個人宅において、特定のユーザによって使用されるものとする。枕１は、枕１のユーザに応じた最適温度を決定すると、ユーザの識別情報とともに最適温度を、ネットワーク２００を介してサーバ２に送信する。
【００８１】
枕１Ａは、枕１と同様の睡眠導入機能及び通信機能を有する。すなわち、枕１Ａは、図３に示すような、調整部と、検出部と、通信部と、記憶部と、制御部とを備える。枕１Ａは、例えば、宿泊施設又は病院等の公共の場において、任意のユーザによって使用される。以下、枕１Ａは、宿泊施設で不特定のユーザ（宿泊客）によって使用されるとする。
【００８２】
枕１Ａは、枕１Ａを使用するユーザ（宿泊客）の識別情報を、例えば枕１Ａの通信部を介して外部から、取得する。例えば、宿泊施設のスタッフがコンピュータを操作することによって、当該コンピュータから枕１Ａへ、枕１Ａを使用するユーザ（宿泊客）の識別情報が送信される。枕１Ａは、ユーザの識別情報を取得すると、ユーザの識別情報とともに最適温度を要求する信号を、ネットワーク２００を介してサーバ２に送信する。その後、サーバ２から枕１Ａに最適温度が送信される。枕１Ａは、ネットワーク２００を介してサーバ２から最適温度を取得する。
【００８３】
枕１Ａは、ユーザ（宿泊客）が枕１Ａに頭部を載せたと判定すると、当該載置面の温度を、取得した最適温度に維持する。
【００８４】
サーバ２は、例えば、情報処理装置である。サーバ２は、通信部４０と、記憶部４１と、制御部４３とを備える。
【００８５】
通信部４０は、ネットワーク２００を介して、外部の機器と通信する。通信部１２は、例えばBluetooth（登録商標）、赤外線、ＮＦＣ、無線ＬＡＮ、有線ＬＡＮ、ＷＡＮ、インターネット若しくはその他任意の通信媒体又はこれらの任意の組合せにより、通信することができる。
【００８６】
記憶部４１は、半導体メモリ又は磁気メモリ等で構成されてよい。記憶部４１は、各種情報及び制御部４２を動作させるためのプログラム等を記憶する。記憶部４１は、ワークメモリとしても機能してもよい。記憶部４１は、ユーザの識別情報と対応付けて最適温度を記憶する。
【００８７】
制御部４２は、種々の機能を実行するための制御及び処理能力を提供するために、少なくとも１つのプロセッサ４２Ａを含む。少なくとも１つのプロセッサ４２Ａは、単一の集積回路（ＩＣ）として、又は、複数の通信可能に接続された集積回路ＩＣ及びディスクリート回路として実現されてもよい。少なくとも１つのプロセッサ４２Ａは、種々の既知の技術に従って実現されることが可能である。
【００８８】
ある実施形態において、プロセッサ４２Ａは、一以上のデータ計算手続及び処理を実行するために構成された、一以上の回路又はユニットを含む。例えば、プロセッサ４２Ａは、一以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ又はこれらの組み合わせ若しくは構成の任意の組み合わせ、又は、他の既知のデバイス若しくは構成の組み合わせを含むことにより、以下に説明する機能を実行してもよい。
【００８９】
制御部４２は、通信部４０と、記憶部４１とに接続され、これらの各機能部をはじめとして、サーバ２の全体を制御及び管理する。制御部４２は、記憶部４１に記憶されているプログラムを取得する。制御部４２は、取得したプログラムを実行することにより、サーバ２の各部に係る種々の機能を実現する。
【００９０】
制御部４２は、枕１から、ネットワーク２００を介して、枕１のユーザの識別情報とともに最適温度を通信部４０によって受信する。制御部４２は、最適温度等を受信すると、枕１のユーザの識別情報と対応付けて最適温度を、記憶部４１に格納させる。
【００９１】
制御部４２は、枕１Ａから、ネットワーク２００を介して、ユーザ（宿泊客）の識別情報とともに最適温度を要求する信号を、通信部４０によって受信する。制御部４２は、この信号を受信すると、記憶部４１から、ユーザの識別情報と対応付けられた、最適温度を取得する。サーバ２は、当該最適温度を、ネットワーク２００を介して枕１Ａに、通信部４０によって送信する。
【００９２】
図９は、本開示の第２実施形態に係る通信システム１００の制御手順の一例を示すシーケンス図である。
【００９３】
枕１は、枕１のユーザに応じた最適温度を決定する（ステップＳ４０）。枕１は、最適温度の決定処理の終了後、枕１のユーザの識別情報とともに最適温度を、ネットワーク２００を介してサーバ２に送信する（ステップＳ４１）。
【００９４】
サーバ２は、ネットワーク２００を介して枕１から、枕１のユーザの識別情報とともに最適温度を受信する。サーバ２は、枕１のユーザの識別情報と対応付けて最適温度を、記憶部４１に格納する（ステップＳ４２）。
【００９５】
枕１Ａは、ユーザ（宿泊客）の識別情報とともに最適温度を要求する信号を、ネットワーク２００を介してサーバ２に送信する（ステップＳ４３）。
【００９６】
サーバ２は、ネットワーク２００を介して枕１Ａから、ユーザ（宿泊客）の識別情報とともに最適温度を要求する信号を受信する。サーバ２は、記憶部４１から、ユーザ（宿泊客）の識別情報と対応付けられた、最適温度を取得する。サーバ２は、当該最適温度を、ネットワーク２００を介して枕１Ａに送信する（ステップＳ４４）。
【００９７】
枕１Ａは、ネットワーク２００を介してサーバ２から、最適温度を受信する（ステップＳ４５）。その後、枕１Ａは、ユーザの頭部が枕１Ａの載置面に載せられたと判定すると（ステップＳ４６）、当該載置面の温度を、取得した最適温度に維持する（ステップＳ４７）。
【００９８】
このように、第２実施形態では、サーバ２は、枕１が決定した、枕１のユーザに応じた最適温度を、枕１のユーザの識別情報に対応付けて格納する。さらに、枕１Ａは、ユーザの識別情報とともに最適温度を要求する信号をサーバに送信することによって、サーバ２から、当該ユーザに応じた最適温度を取得する。このような制御によって、例えば、宿泊施設で、普段使用していない枕１Ａを使用する場合でも、枕１Ａは、枕１Ａの載置面の温度を、当該ユーザに応じた最適温度に維持することができる。これにより、本実施形態に係る通信システム１００は、例えばユーザが外泊して、ユーザが使用する枕が変わった場合でも、ユーザの入眠を促すことができる。このようにして、本実施形態によれば、改善された、通信システム１００が提供され得る。
【００９９】
本開示を完全かつ明瞭に開示するためにいくつかの実施形態に関し説明してきた。しかしながら、添付の請求項は、上記実施形態に限定されるべきものでなく、本明細書に示した基礎的事項の範囲内で当該技術分野の当業者が創作し得る全ての変形例及び代替可能な構成を具現化するように構成されるべきである。また、いくつかの実施形態に示した各要件は、自由に組み合わせが可能である。
【０１００】
例えば、上記第１実施形態では、制御部１４は、表面の少なくとも一部の温度として載置面Ａの温度が最適温度になるように、調整部１０を制御した。しかしながら、制御部１４は、載置面Ａの温度ではない表面部分の温度が最適温度になるよう、調整部１０を制御してもよい。
【０１０１】
例えば、上記第１実施形態では、制御部１４は、周囲温度に応じて最適温度を決定してもよいと説明した。制御部１４は、周囲温度の代わりに、湿度に応じて最適温度を決定してもよい。
【０１０２】
例えば、上記第１実施形態では、制御ユニット２０は、枕１の内部に含まれるものとして説明した。しかしながら、制御ユニット２０は、枕１の外部にあってもよい。
【０１０３】
例えば、上記第１実施形態及び第２実施形態では、本開示の寝具は、枕であるものとして説明した。しかしながら、本開示の寝具は、枕に限定されない。本開示の寝具は、ユーザの頭部を支持するものであればよく、例えば、クッション、ネックピロー又は座布団等であってもよい。
【符号の説明】
【０１０４】
１，１Ａ  枕（寝具）
２  サーバ
１０  調整部
１１  検出部
１２  通信部
１３  記憶部
１４  制御部
１５  外装部
２０  制御ユニット
３０  エアバッグ
４０  通信部
４１  記憶部
４２  制御部
１００  通信システム
２００  ネットワーク
【図１】
2019051066.tif 000003
【図２】
2019051066.tif 000004
【図３】
2019051066.tif 000005
【図４】
2019051066.tif 000006
【図５】
2019051066.tif 000007
【図６】
2019051066.tif 000008
【図７】
2019051066.tif 000009
【図８】
2019051066.tif 000010
【図９】
2019051066.tif 000011